(57)【要約】【課題】リライトカードが挿入されている場合に限り、会員価格や割り増しポイントを適用することが可能な金銭登録装置及び金銭登録プログラムを提供する。【解決手段】金銭登録装置は、入出力装置と、商品ごとの単価、会員価格及びポイントの会員倍率を格納する価格データベースと、一取引の内容を格納するトランザクションファイルと、リライトカードリーダにリライトカードが挿入されていると判定したとき、商品毎の付与ポイントを算出し、リライトカードに格納する制御部と、を備える。【選択図】図２
2013054564.tif 000002
【特許請求の範囲】
【請求項１】
商品ごとの通常単価及び会員に対する商品毎の優待価格を格納する価格データベースと、
一取引の内容を商品毎に単価、数量を含む情報によって格納するトランザクションファイルと、
リライトカードリーダにリライトカードが挿入されていると判定したとき、前記優待価格を前記単価として前記一取引の内容を前記トランザクションファイルに格納する制御部と、
を備える金銭登録装置。
【請求項２】
前記価格データベースは、
会員に対する商品毎のポイント割増率をさらに格納し、
前記制御部は、
前記リライトカードリーダに前記リライトカードが挿入されていると判定したとき、前記優待価格を前記単価とし、前記一取引の内容を前記トランザクションファイルに格納し、商品毎に前記単価、前記数量及び前記ポイント割増率に基づいて商品毎の付与ポイントを算出し、前記リライトカードから読み込んだ累計ポイントに前記付与ポイントを加算して前記リライトカードに格納する請求項１記載の金銭登録装置。
【請求項３】
商品ごとの通常単価及び会員に対する商品毎のポイント割増率を格納する価格データベースと、
一取引の内容を商品毎に単価、数量を含む情報によって格納するトランザクションファイルと、
前記リライトカードリーダに前記リライトカードが挿入されていると判定したとき、前記通常単価を前記単価とし、前記一取引の内容を前記トランザクションファイルに格納し、商品毎に前記単価、前記数量及び前記ポイント割増率に基づいて商品毎の付与ポイントを算出し、前記リライトカードから読み込んだ累計ポイントに前記付与ポイントを加算して前記リライトカードに格納する制御部と、
を備える金銭登録装置。
【請求項４】
制御部が、リライトカードリーダにリライトカードが挿入されていると判定したとき、商品ごとの通常単価及び会員に対する優待価格を格納する価格データベースの前記優待価格を前記単価とし、
前記制御部が、前記優待価格を前記単価として前記一取引の内容を前記トランザクションファイルに格納する、
金銭登録プログラム。
【請求項５】
前記価格データベースは、
商品毎の優待価格をさらに格納し、
前記制御部は、
前記リライトカードリーダに前記リライトカードが挿入されていると判定したとき、前記優待価格を前記単価とし、前記一取引の内容を前記トランザクションファイルに格納し、商品毎に前記単価、前記数量及び前記ポイント割増率に基づいて商品毎の付与ポイントを算出し、前記リライトカードから読み込んだ累計ポイントに加算して前記リライトカードに格納する請求項４記載の金銭登録プログラム。
【請求項６】
制御部が、リライトカードリーダにリライトカードが挿入されていると判定したとき、商品ごとの通常単価及び会員に対するポイント割増率を格納する価格データベースの前記通常価格を前記単価とし、
前記制御部が、商品毎に前記単価、一取引の内容を商品毎に単価、数量、付与ポイントを含む情報によって格納するトランザクションファイルの前記数量及び前記ポイント割増率に基づいて商品毎の付与ポイントを算出し、
前記制御部が、前記リライトカードから読み込んだ累計ポイントに前記付与ポイントを加算して前記リライトカードに格納する、
金銭登録プログラム。
【発明の詳細な説明】
【技術分野】
【０００１】
本発明の実施形態は、金銭登録装置及び金銭登録プログラムに関する。
【背景技術】
【０００２】
いわゆるＰＯＳ（Ｐｏｉｎｔ  Ｏｆ  Ｓａｌｅｓ）レジスタなどの金銭登録装置は、販売する商品、単価及び数量を記憶装置に登録し、合計金額を計算する。
【０００３】
また、金銭登録装置には、リライトカードリーダを接続することにより、一取引当たりの販売金額の合計額に応じた優待ポイントを算出し、リライトカードに格納することが可能な機種もある。
【０００４】
しかし、近年では販売形態が多様化している。例えば、会員に対しては特定の商品につき、特に割安な価格や割り増しポイントを設定することがある。
【０００５】
この場合、従来の機種においてはリライトカードの会員情報を読み取った後にリライトカードを排出し、排出後も会員価格や割り増しポイントを適用していた。従って、リライトカードを返却された顧客は他の顧客にリライトカードを渡し、このリライトカードを受け取った他の顧客もさらに会員価格や割り増しポイントの適用を受けることが可能であった。
【先行技術文献】
【特許文献】
【０００６】
【特許文献１】特開２００８−２２５５４０号公報
【発明の概要】
【発明が解決しようとする課題】
【０００７】
従って、リライトカードが挿入されている場合に限り、会員価格や割り増しポイントを適用することが可能な金銭登録装置及び金銭登録プログラムが求められている。
【課題を解決するための手段】
【０００８】
上記の課題を解決するために、本発明の一実施形態は、入出力装置と、商品ごとの通常単価及び会員に対するポイント割増率を格納する価格データベースと、一取引の内容を商品毎に単価、数量、付与ポイントを含む情報によって格納するトランザクションファイルと、リライトカードリーダにリライトカードが挿入されていると判定したとき、通常価格を単価とし、商品毎に単価、数量及び前記ポイント割増率に基づいて商品毎の付与ポイントを算出し、リライトカードから読み込んだ累計ポイントに付与ポイントを加算してリライトカードに格納する制御部と、を備える金銭登録装置を提供する。
【図面の簡単な説明】
【０００９】
【図１】リライトカードリーダを接続した金銭登録装置の外観斜視図である。
【図２】金銭登録装置の構成を示すブロック図である。
【図３】リライトカードリーダの構成を示すブロック図である。
【図４】価格データベースのデータ構成を示す図である。
【図５】トランザクションファイルのデータ構成を示す図である。
【図６】リライトカードの磁気ストライプに格納されるデータのデータ構成を示す図である。
【図７】金銭登録装置の制御部のポイント付与動作を示す図である。
【図８】金銭登録装置の価格設定画面の例を示す図である。
【図９】金銭登録装置の登録画面の例を示す図である。
【発明を実施するための形態】
【００１０】
以下、金銭登録装置及び金銭登録プログラムの一実施形態について、図面を用いて詳細に説明する。
【００１１】
本実施形態の金銭登録装置は、入出力装置と、商品ごとの通常単価及び会員に対するポイント割増率を格納する価格データベースと、一取引の内容を商品毎に単価、数量、付与ポイントを含む情報によって格納するトランザクションファイルと、リライトカードリーダにリライトカードが挿入されていると判定したとき、通常価格を単価とし、商品毎に単価、数量及び前記ポイント割増率に基づいて商品毎の付与ポイントを算出し、リライトカードから読み込んだ累計ポイントに付与ポイントを加算してリライトカードに格納する制御部と、を備える。
【００１２】
図１は、リライトカードリーダ３００を接続した金銭登録装置１００の外観斜視図である。
【００１３】
図１に示すように、金銭登録装置１００は、入出力装置であるタッチパネル２０２と、入力装置であるキーボード２０３と、磁気記録カードを読み取るカードリーダ２０４と、を備える。
【００１４】
金銭登録装置１００は、この他に商品に貼付されるバーコードを読み取るスキャナ、金銭を格納するドロワ、取引内容を記録媒体に画像形成するプリンタなどの付属装置を接続することができる。
【００１５】
金銭登録装置１００は、スタンドアロンにて使用することも、ストアコントローラと接続して使用することもできる。ストアコントローラは金銭登録装置１００と同様の構成をもち、ストアコントローラに格納された商品に関する情報は変更があった都度接続されている金銭登録装置１００に配信される。
【００１６】
リライトカードリーダ３００は、筺体にカード挿入孔３００Ａを有する。リライトカードリーダ３００は、挿入されたリライトカードの磁気ストライプに格納されている情報を読み取り、さらに新たな情報をこの磁気ストライプに格納する。
【００１７】
また、リライトカードリーダ３００は、リライトカードの印字部分にサーマルヘッドによって画像形成する。
【００１８】
図２は、金銭登録装置１００の構成を示すブロック図である。図２に示すように、金銭登録装置１００は、制御部であるＣＰＵ（Ｃｅｎｔｒａｌ  Ｐｒｏｃｅｓｓｉｎｇ  Ｕｎｉｔ）２０１と、タッチパネル２０２と、キーボード２０３と、カードリーダ２０４と、外部機器と通信を行うための通信インターフェース（以下、インターフェースをＩ／Ｆ（ｉｎｔｅｒｆａｃｅ）という。）２０５と、記憶装置であるＲＯＭ（ｒｅａｄ−ｏｎｌｙ  ｍｅｍｏｒｙ）、ＲＡＭ（ｒａｎｄｏｍ−ａｃｃｅｓｓ  ｍｅｍｏｒｙ）などのメモリ２０６と、ハードディスク、乃至フラッシュＲＯＭなどの不揮発性記憶装置である補助記憶装置２０７と、を備える。
【００１９】
補助記憶装置２０７は、商品ごとの単価を格納する価格データベース（以下、データベースをＤＢという。）２０７Ａと、一取引の内容を格納するトランザクションファイル２０７Ｂと、取引を行わないＩＤ（Ｉｄｅｎｔｉｆｉｃａｔｉｏｎ）を格納する事故ＩＤファイル２０７Ｃと、を格納する。
【００２０】
図３は、リライトカードリーダ３００の構成を示すブロック図である。図３に示すように、リライトカードリーダ３００は、演算装置であるＣＰＵ３０１と、入出力装置であるコントロールパネル３０２と、磁気ストライプに情報を格納し、また磁気ストライプの情報を読み出すリーダライタ３０３と、リライトカードの印字部分に画像形成するサーマルヘッド３０４と、外部装置との通信を行う通信Ｉ／Ｆ３０５と、記憶装置であるメモリ３０６と、ハードディスク乃至フラッシュメモリなどの不揮発性記憶装置である補助記憶装置３０７と、を備える。
【００２１】
リライトカードリーダ３００は通信Ｉ／Ｆ３０５を介して金銭登録装置１００と接続する。
【００２２】
図４は、価格ＤＢ２０７Ａのデータ構成を示す図である。図４に示すように、価格ＤＢ２０７Ａは、商品毎に固有に割り当てられる「商品コード」と、商品の名称である「名称」と、商品の定番価格である「通常単価」と、販売部門を示す「部門」と、会員に対する優待価格である「会員価格」と、会員に対するポイント割増率である「会員倍率」と、を格納する。
【００２３】
各データの例は、商品コードが「４００００００００１２３４」、名称が「缶コーヒー２５０ｍｌ」、通常単価が「１００」、部門が「５０１０」、会員価格が「９８」、会員倍率が「２」である。
【００２４】
なお、補助記憶装置２０７は、「会員価格」及び「会員倍率」を別ファイルに格納してもよい。
【００２５】
この場合、価格ＤＢ２０７Ａは「会員価格」及び「会員倍率」を含まず、別ファイルは、「商品コード」、「会員価格」及び「会員倍率」を格納する。
【００２６】
図５は、トランザクションファイル２０７Ｂのデータ構成を示す図である。図５に示すように、トランザクションファイル２０７Ｂは、一取引ごとに、「商品コード」と、「名称」と、「単価」と、販売する数量を示す「数量」と、商品毎に付与するポイント合計である「付与ポイント」と、を格納する。
【００２７】
各データの例は、商品コードが「４００００００００１２３４」、名称が「缶コーヒー２５０ｍｌ」、単価が「９８」、数量が「６」、付与ポイントが「１２」である。
【００２８】
図６は、リライトカードの磁気ストライプに格納されるデータのデータ構成を示す図である。図６に示すように、リライトカードの磁気ストライプは、顧客に固有に割り当てられる「ＩＤ」と、ポイントの累計値である「累計ポイント」と、リライトカードの有効期限である「有効期限」と、を格納する。
【００２９】
各データの例は、ＩＤが「０１２３４５６」、累計ポイントが「５」、有効期限が「２０１２０８０９」である。
【００３０】
図７は、金銭登録装置１００の制御部のポイント付与動作を示す図である。図７に示すように、動作７０１において、金銭登録装置１００はリライトカードが挿入済みかを判定する。金銭登録装置１００は、リライトカードが挿入済みであると判定した場合、動作７０２に進み、未挿入であると判定した場合、動作７０３に進む。
【００３１】
動作７０２において、金銭登録装置１００はリライトカードから累計ポイントを読み込み、メモリ３０６のバッファに格納する。
【００３２】
動作７０３において、金銭登録装置１００は販売する商品の登録処理を行う。具体的には、金銭登録装置１００に接続されるスキャナによって商品に貼付されるバーコードを読み込み、キーボード２０３から販売数量を入力し、トランザクションファイル２０７Ｂに格納する。
【００３３】
また、金銭登録装置１００は、バーコードの商品コードに基づいて価格ＤＢ２０７Ａを検索する。金銭登録装置１００はリライトカードが挿入されていると判定した場合には会員価格を、未挿入であると判定した場合には通常単価を、単価としてトランザクションファイル２０７Ｂに格納する。
【００３４】
動作７０４において、金銭登録装置１００はリライトカードが挿入済みかを判定する。金銭登録装置１００は、リライトカードが挿入済みであると判定した場合、動作７０５に進み、未挿入であると判定した場合、動作７０６に進む。
【００３５】
動作７０５において、金銭登録装置１００はポイント加算する。すなわち、金銭登録装置１００は、以下の（１）式により商品毎の付与ポイントを算出する。
【００３６】
（付与ポイント）＝（会員価格）×（数量）×（デフォルトのポイント付与率）×（会員倍率）  ・・・  （１）
ここで、デフォルトのポイント付与率は補助記憶装置２０７に予め格納される値であり、例えば０．０１とすることができる。
【００３７】
金銭登録装置１００は、付与ポイントをトランザクションファイル２０７Ｂに格納する。さらに、金銭登録装置１００は、付与ポイントをバッファに格納した累計ポイントに加算し、加算された結果をバッファに格納する。
【００３８】
動作７０６において、金銭登録装置１００は小計キーが押下されたかを判定する。金銭登録装置１００は、小計キーが押下されたと判定した場合、動作７０７に進み、押下されていないと判定した場合、動作７０３に戻る。
【００３９】
動作７０７において、金銭登録装置１００はリライトカードが挿入済みかを判定する。金銭登録装置１００は、リライトカードが挿入済みであると判定した場合、動作７０８に進み、未挿入であると判定した場合、動作７０９に進む。
【００４０】
動作７０８において、金銭登録装置１００は、リライトカードから読み出したＩＤに基づいて事故ＩＤファイル２０７Ｃを検索し、該当するＩＤが存在した場合には処理を中断する。金銭登録装置１００は、事故ＩＤファイル２０７Ｃに該当ＩＤがないと判定した場合、バッファから累計ポイントを読み出し、リライトカードの磁気ストライプにこの累計ポイントを格納する。
【００４１】
動作７０９において、金銭登録装置１００は清算処理を行う。すなわち、金銭登録装置１００は、トランザクションファイル２０７Ｂから商品毎の単価及び数量を順次読み出し、これを積算して販売価格とし、この販売価格を各商品について合計して請求金額とする。
【００４２】
金銭登録装置１００は、顧客から預かった金額を預かり金額として入力し、預かり金額から請求金額を差し引いて釣銭とする。
【００４３】
なお、清算時までにリライトカードがリライトカードリーダ３００から取り出された場合には、金銭登録装置１００は、トランザクションファイル２０７Ｂから商品コードを順次読み出し、この商品コードに基づいて価格ＤＢ２０７Ａを検索して通常単価を読み出し、この通常単価を単価としてトランザクションファイル２０７Ｂに格納する処理を行う。
【００４４】
図８は、金銭登録装置１００の価格設定画面８０１の例を示す図である。図８に示すように、金銭登録装置１００は商品毎の価格設定の際にタッチパネル２０２に価格設定画面８０１を表示する。
【００４５】
金銭登録装置１００は、価格設定画面８０１として、商品コード欄、名称欄、部門欄、単価欄、会員価格欄８０２、会員倍率欄８０３の各欄を表示する。
【００４６】
金銭登録装置１００は、「ＯＫ」ボタン８０４が押下された場合、入力された値を価格ＤＢ２０７Ａに格納する。
【００４７】
図９は、金銭登録装置１００の登録画面９０１の例を示す図である。図９に示すように、金銭登録装置１００は登録処理の際に会員価格を単価とする場合には、登録画面９０１に会員価格を適用中である旨を示す適用中欄９０２を表示する。
【００４８】
以上述べたように、本実施形態の金銭登録装置１００は、入出力装置２０２と、商品ごとの単価、会員価格及びポイントの会員倍率を格納する価格ＤＢ２０７Ａと、一取引の内容を格納するトランザクションファイル２０７Ｂと、リライトカードリーダにリライトカードが挿入されていると判定したとき、商品毎の付与ポイントを算出し、リライトカードに格納する制御部と、を備える。
【００４９】
従って、リライトカードが挿入されている場合に限り、会員価格や割り増しポイントを適用することができるという効果がある。
【００５０】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１００：金銭登録装置
２０２：タッチパネル
２０３：キーボード
３００：リライトカードリーダ
【図１】
2013054564.tif 000003
【図２】
2013054564.tif 000004
【図３】
2013054564.tif 000005
【図４】
2013054564.tif 000006
【図５】
2013054564.tif 000007
【図６】
2013054564.tif 000008
【図７】
2013054564.tif 000009
【図８】
2013054564.tif 000010
【図９】
2013054564.tif 000011